(57)【要約】      （修正有）【課題】お湯に入れて飲用するだけでなく、口に含んで賞味することもでき、その茶原料のお茶の香りが速やかに放出されるティーバッグを提供する。【解決手段】ティーバッグは、ろ紙２１と、前記ろ紙２１に封入された茶原料とを備え、前記ろ紙２１の前記茶原料と当接する内表面には、エンボス２２が形成されている。ろ紙２１の内表面に形成されたエンボス２２によりろ紙２１の浸透性が向上するため、お湯に入れると、その茶原料のお茶の香りが速やかに放出される。さらにティーバッグは、構造が簡素で、設計が合理的であり、容易に携帯することができる。【選択図】図２
0003197958.tif 000002
【実用新案登録請求の範囲】
【請求項１】
ろ紙と、前記ろ紙に封入された茶原料とを備え、
前記ろ紙の前記茶原料と当接する内表面には、エンボスが形成されていることを特徴とするティーバッグ。
【請求項２】
前記ろ紙の厚さは０．０６〜０．１ｍｍであり、
前記エンボスが形成された箇所は、０．００４〜０．０１ｍｍの厚さであることを特徴とする請求項１に記載のティーバッグ。
【請求項３】
前記エンボスは、菱形で辺長が０．２〜１ｍｍであることを特徴とする請求項２に記載のティーバッグ。
【請求項４】
前記ろ紙の規格は２０〜２２ｇ／ｍ２であることを特徴とする請求項３に記載のティーバッグ。
【請求項５】
前記ろ紙が封入される複合紙袋をさらに備えることを特徴とする請求項１〜４の何れか１項に記載のティーバッグ。
【請求項６】
前記複合紙袋は、アルミ箔と、前記アルミ箔に複合された紙層とを含むことを特徴とする請求項５に記載のティーバッグ。
【考案の詳細な説明】
【技術分野】
【０００１】
本考案は、茶葉技術分野に属し、特にティーバッグに関する。
【背景技術】
【０００２】
お茶には、抗酸化成分、ビタミン及びアミノ酸が含まれ、毎日、適量のお茶を飲むと、フリーラジカルを減らして老化を防ぎ、脂の排出を促すとともに、神経の興奮、消化及び利尿にも一定の作用を得ることができる。
【０００３】
ティーバッグは、茶原料がろ紙袋に封入され、直接、お湯に入れたら飲用できるため、容易に使用することができることで消費者に注目されている。しかし、現在市販されているティーバッグは、普通のろ紙で製作されているため、お湯に入れて飲用することしかできない。
【考案の概要】
【考案が解決しようとする課題】
【０００４】
本考案の目的は、お湯に入れて飲用するだけでなく、口に含んで賞味することもでき、その茶原料のお茶の香りが速やかに放出されるティーバッグを提供することにある。
【課題を解決するための手段】
【０００５】
上記課題を解決するために、本考案の第１の形態によれば、ろ紙と、前記ろ紙に封入された茶原料とを備え、前記ろ紙の前記茶原料と当接する内表面には、エンボスが形成されていることを特徴とするティーバッグが提供される。
【０００６】
前記ろ紙の厚さは０．０６〜０．１ｍｍであり、前記エンボスが形成された箇所は、０．００４〜０．０１ｍｍの厚さであることが好ましい。
【０００７】
前記エンボスは、菱形で辺長が０．２〜１ｍｍであることが好ましい。
【０００８】
前記ろ紙の規格は２０〜２２ｇ／ｍ２であることが好ましい。
【０００９】
前記ろ紙が封入される複合紙袋をさらに備えることが好ましい。
【００１０】
前記複合紙袋は、アルミ箔と、前記アルミ箔に複合された紙層とを含むことが好ましい。
【考案の効果】
【００１１】
本考案のティーバッグは、従来技術と比べ、ろ紙と、ろ紙に封入された茶原料とを含み、上記ろ紙の上記茶原料と当接する内表面にはエンボスが形成されている。ろ紙の内表面に形成されたエンボスによりろ紙の浸透性が向上するため、お湯に入れると、その茶原料のお茶の香りが速やかに放出される。また、本考案のティーバッグは、口に含んで賞味することもでき、茶原料の爽やかで優雅な香りを速やかに放出させることができる。さらに本考案のティーバッグは、構造が簡素で、設計が合理的であり、容易に携帯することができる。
【図面の簡単な説明】
【００１２】
【図１】図１は、本考案の一実施形態に係るティーバッグを示す模式図である。
【図２】図２は、本考案の一実施形態に係るティーバッグのろ紙を示す模式図である。
【考案を実施するための形態】
【００１３】
以下、本考案の実施形態について図に基づいて説明する。なお、これによって本考案が限定されるものではない。
【００１４】
本考案の一実施形態に係るティーバッグは、ろ紙と、ろ紙に封入される茶原料とを含み、上記ろ紙の茶原料と当接する内表面には、エンボスが形成されている。
【００１５】
図１を参照する。図１は、本考案の一実施形態に係るティーバッグを示す模式図である。図１に示すように、１は茶原料であり、２は、茶原料１が封入されるろ紙であり、３は、ろ紙が封入される複合紙袋である。
【００１６】
本考案のティーバッグは、茶原料１を含む。茶原料１は、、細かく砕いた茶葉、粉末状の茶、菊花、葛根などの、お湯に入れたり口に含んだりすると香りが放出される成分でもよいし、天然の甘味料、渋味防止剤、香料などの添加剤を含んでもよく、本考案は特に限定されるわけではない。上記茶原料１の粒径は、７〜２０目であることが好ましい。
【００１７】
茶原料１は、ろ紙２に封入される。図２を参照する。図２は、本考案の一実施形態に係るティーバッグのろ紙を示す模式図である。図２に示すように、２１はろ紙であり、２２はエンボスである。エンボス２２によってろ紙２１の厚さは異なるため、ろ紙２１の浸透性が高まり、茶の葉の香りが速やかに放出される。本考案のろ紙の厚さとは、エンボスが形成されていない箇所の厚さを指す。本実施形態に係るろ紙の厚さは０．０６〜０．１ｍｍで、上記エンボスが形成された箇所の厚さは０．００４〜０．０１ｍｍでもよい。本考案の他の実施形態に係るろ紙の厚さは０．０９５ｍｍで、エンボスが形成された箇所の厚さは０．００４ｍｍでもよい。エンボス２２は、０．２〜１ｍｍの辺長を有する菱形である。他の実施形態において、エンボス２２は０．４〜０．６ｍｍの辺長を有する菱形である。さらに他の実施形態において、エンボス２２は、０．５５ｍｍの辺長を有する菱形である。他の実施形態において、エンボス２２は、０．１〜０．５ｍｍの半径を有する円形でもよい。
【００１８】
本考案のろ紙は特に限定されず、その規格は２０〜２２ｇ／ｍ２であることが好ましく、２１ｇ／ｍ２であればさらに好ましい。ろ紙はノースウッドの針葉樹パルプ、麻パルプにより製作されるものが好ましいが、本考案は特に限定されない。
【００１９】
本実施形態では、茶原料の香りの消失を防ぎ、ティーバッグの安全性と衛生を保つために、ろ紙がさらに複合紙袋３により覆われている。他の実施形態では、複合紙袋３は、アルミ箔と、アルミ箔に複合された紙層とを含む。さらに他の実施形態では、複合紙袋を切って開け、茶原料が封入されたろ紙を取り出して使用することができるように、複合紙袋３には切欠きが形成されている。
【００２０】
本考案のティーバッグは、直接口に含んで賞味してもよいし、温水又はお湯に入れて飲用してもよい。口に含むと、茶原料の香りが口の中で速やかに広がり、香りが無くなると、ティーバッグを吐き出して捨てればよい。実験の結果、本考案のティーバッグを口に含むとすぐに香りが放出され、、その香りは５〜１０分間続くことが分かった。お湯に入れて飲む場合でも、茶原料は速やかに香りが放出される。何度もして香りがなくなる捨てればよい。実験の結果、本考案のティーバッグは、お湯に入れると、お茶の香りが速やかに放出され、お湯に３〜５回入れても依然としてお茶の香りが放出される。
【００２１】
（第１実施形態）
本考案の第１実施形態に係るティーバッグは、ろ紙と、ろ紙に封入された茶の葉とを含む。ろ紙の規格は２１ｇ／ｍ２であり、ろ紙の内表面には菱形のエンボスが形成され、ろ紙の厚さは０．０９５ｍｍであり、菱形エンボスが形成された箇所の厚さは０．００４ｍｍであり、菱形エンボスの辺長は０．５５ｍｍである。
【００２２】
（第２実施形態）
本考案の第２実施形態に係るティーバッグは、第１実施形態と異なり、ろ紙の外側を覆う複合紙袋をさらに含む。
【００２３】
以上は本考案の好適な実施形態であるが、当業者にとって本考案の主旨を逸脱しない範囲内で若干の改良や修正を加えることができ、これらの改良や修正も本考案の保護範囲とされるべきである。
【符号の説明】
【００２４】
１    茶の葉
２    ろ紙
３    複合紙袋
２１  ろ紙
２２  エンボス
【図１】
0003197958.tif 000003
【図２】
0003197958.tif 000004